【手続補正書】
【提出日】平成27年9月1日(2015.9.1)
【手続補正１】
【補正対象書類名】特許請求の範囲
【補正対象項目名】全文
【補正方法】変更
【補正の内容】
【特許請求の範囲】
【請求項１】
複数のカード・ゾーンを有するフレキシブル基板を具えた自動供給製造製品であって、
前記カード・ゾーンは、検出領域を定めており、
前記検出領域内に、センサユニットが形成されており、
前記センサユニットは、第１の指を有する第１の電極および第２の指を有する第２の電極を有しており、
前記第１の指は、前記第２の指と交互に配置されており、
前記第１の指は、前記第２の指から間隔をおいて配置されており、
前記センサユニットは、さらに、生体分子受容体を、前記フレキシブル基板上の前記第１の電極と前記第２の電極との間に具えており、
前記第２の電極に対する前記第１の電極の物性は、生体分子に結合している前記生体分子受容体の１つ以上に応じて影響される、
自動供給製造製品。
【請求項２】
前記第１の電極および前記第２の電極は、導電性インクで堆積された粒子から形成される、
請求項１記載の自動供給製造製品。
【請求項３】
前記導電性インクは、キャリアおよび導電材料を具え、
前記導電材料は、ナノ粒子アルミニウム、ナノ粒子金、ナノ粒子銀、ナノ粒子銅、カーボンナノチューブ、ナノ粒子グラフェンおよびナノ粒子プラチナからなる群から選択される、
請求項２記載の自動供給製造製品。
【請求項４】
前記第１の指は、前記第２の指から、１μｍ以上２０μｍ以下の間隔をおいて配置されている、
請求項１記載の自動供給製造製品。
【請求項５】
前記第１の指および前記第２の指は、２０ｎｍ以上７５０ｎｍ以下の厚みを有している、
請求項４記載の自動供給製造製品。
【請求項６】
前記フレキシブル基板は、紙と、ポリイミド、ポリエチレン、ポリエチレン・テレフタル酸エステル、ポリエステルおよびそれらの組み合わせを含むプラスチックと、からなる群から選択される材料から構成されている、
請求項１記載の自動供給製造製品。
【請求項７】
前記フレキシブル基板は、フレキシブルウェブである、
請求項１記載の自動供給製造製品。
【請求項８】
センサ・カードの製造方法であって、前記方法は、
第１の幅を有する第１の導電要素および第２の幅を有する第２の導電要素を形成するために、第１の導電性インクを基板に第１のパターンで塗布するステップと、
第２の指と交互に配置された第１の指を形成するために、第２の導電性インクを前記基板にエアロゾル噴射装置によって第２のパターンで塗布するステップと、
を含み、
前記第１および第２の指は、前記第１および第２の導電要素の前記第１および第２の幅より小さい第３および第４の幅を有しており、
前記第１の指は、前記第２の指から、１０ｎｍ以上１ｍｍ以下の間隔をおいて配置されており、
前記第１の導電要素および前記第１の指は、電気的に接続され、センサユニットの第１の電極を形成しており、
前記第２の導電要素は、前記第２の指に電気的に接続され、前記センサユニットの第２の電極を形成している、
方法。
【請求項９】
前記第１の導電性インクを前記基板に塗布する前記ステップの後、前記基板を、第１の硬化ステーションを通過させるステップをさらに含む、
請求項８記載の方法。
【請求項１０】
前記第２の導電性インクを前記基板に塗布する前記ステップの後、前記基板を、第２の硬化ステーションを通過させるステップをさらに含む、
請求項８記載の方法。
【請求項１１】
前記基板は、ウェブガイドシステムによってガイドされるフレキシブルウェブである、
請求項８記載の方法。
【請求項１２】
前記フレキシブルウェブは、紙、ポリアミド、プラスチックおよびそれらの組み合わせからなる群から選択される材料から構成されている、
請求項１１記載の方法。
【請求項１３】
前記第１の導電性インクを前記基板に塗布する前記ステップは、スクリーン印刷装置、ステンシル印刷装置、電着装置、スパッタリング装置、噴射装置、レーザーアブレーション装置およびそれらの組み合わせからなる群から選択されるノンエアロゾル噴射装置を利用して、前記第１の導電性インクを前記基板に塗布するステップとしてさらに定められる、
請求項８記載の方法。
【請求項１４】
前記第１の導電性インクは、前記第２の導電性インクと同一である、
請求項８記載の方法。
【請求項１５】
前記第１の導電性インクは、前記第２の導電性インクと異なる、
請求項８記載の方法。
【請求項１６】
前記第２の導電性インクを前記基板に塗布する前記ステップは、前記第２の電極の前記第２の指と交互に配置された、前記第１の電極の前記第１の指を有する前記第２のパターンの第１層を形成するために、前記第２の導電性インクを前記基板に塗布するステップとしてさらに定められ、
前記方法は、第３の導電性インクを前記基板に塗布するステップをさらに含み、
前記第２の電極の前記第２の指と交互に配置された、前記第１の電極の前記第１の指を有する前記第２のパターンの前記第１層をカバーする第３のパターンの第２層を形成する、
請求項８記載の方法。
【請求項１７】
前記第２の導電性インクは、前記第３の導電性インクと異なる、
請求項１６記載の方法。
【請求項１８】
前記第２の導電性インクは、前記第３の導電性インクと同一である、
請求項１６記載の方法。
【請求項１９】
センサ固定の生体分子受容体を、前記基板上の前記第１の電極と前記第２の電極との間に適用するステップをさらに含み、
前記生体分子受容体の１つ以上が生体分子と結合すると、前記第１の電極は、前記第２の電極に電気的に接続される、
請求項８記載の方法。
【請求項２０】
センサ・カードであって、
第１表面を有する基板と、
前記第１表面に形成される１つ以上のセンサユニットと、
を具え、
前記１つ以上のセンサユニットは、第１の指を有する第１の電極および第２の指を有する第２の電極を有し、
前記第１の指は、前記第２の指と交互に配置されており、
前記第１の指は、前記第２の指から間隔をおいて配置されており、
前記１つ以上のセンサユニットは、さらに、生体分子受容体を、前記基板上の前記第１の電極と前記第２の電極との間に具えており、
前記第２の電極に対する前記第１の電極の物性は、生体分子に結合している前記生体分子受容体の１つ以上に応じて影響され、
前記第１の指および前記第２の指は、少なくとも１つの硬化導電性インクから形成される、
センサ・カード
【請求項２１】
前記第１の指は、前記第２の指から、１０ｎｍ以上１ｍｍ以下の間隔をおいて配置されている、
請求項２０記載のセンサ・カード。
【請求項２２】
前記基板は、紙と、ポリイミド、ポリエチレン、ポリエチレン・テレフタル酸エステル、ポリエステルおよびそれらの組み合わせを含むプラスチックと、からなる群から選択される材料から構成されている、
請求項２０記載のセンサ・カード。
【請求項２３】
センサ・カードおよび読み出し装置を具えるバイオセンサ・キットであって、
前記センサ・カードは、
第１表面を有する基板と、
前記第１表面に形成される１つ以上のセンサユニットと、
を具え、
前記１つ以上のセンサユニットは、第１の指を有する第１の電極および第２の指を有する第２の電極を有し、
前記第１の指は、前記第２の指と交互に配置されており、
前記第１の指は、前記第２の指から間隔をおいて配置されており、
前記１つ以上のセンサユニットは、さらに、生体分子受容体を、前記基板上の前記第１の電極と前記第２の電極との間に具えており、
前記第２の電極に対する前記第１の電極の物性は、生体分子に結合している前記生体分子受容体の１つ以上に応じて影響され、
前記第１の指および前記第２の指は、少なくとも１つの硬化導電性インクから形成されており、
前記読み出し装置は、
前記基板上の前記１つ以上センサユニットを読み出すように構成されたトランスデューサと、
前記１つ以上センサユニットの前記読み出しの結果を、ユーザ知覚できるフォーマットで提供する回路と、
を有する、
バイオセンサ・キット
【手続補正２】
【補正対象書類名】明細書
【補正対象項目名】００２２
【補正方法】変更
【補正の内容】
【００２２】
第１の指５２ａ〜５２ｎは、第２の指５８ａ〜５８ｎから間隔をおいて配置されているので、生体分子は、生体分子受容体６４ａ〜６４ｎに結合し、第１の指５２ａ〜５２ｎと第２の指５８ａ〜５８ｎとの間の電気接続を確立することができる。本願明細書において、第１の指５２ａ〜５２ｎと第２の指５８ａ〜５８ｎとの間のエッジ間隔は、空間と称し、１０ｎｍ以上１ｍｍ以下とすることができる。例えば、適切な空間は、０．２μｍ以上２０μｍ以下とすることができる。互いに嵌合されたアレイ（ＩＤＡ：interdigitated array）のために、空間は、信号増幅における重要な特徴である。アスペクト比（別名ｚ高さ）もまた、信号増幅に重要な影響を与える。信号増幅において、トレースすなわち線幅の役割は小さい。さらに、例示的実施形態では、第１の指５２ａ〜５２ｎおよび第２の指５８ａ〜５８ｎは、０．０１μｍ以上１００μｍ以下の厚みを有する。後述するように、一実施形態において、エアロゾル噴射装置を用いて、第１の指５２ａ〜５２ｎおよび第２の指５８ａ〜５８ｎを形成し、１０μｍ未満のエッジ間空間を達成することができる。本願で用いられる例示的なエアロゾル噴射装置はＯｐｔｏｍｅｃ社によって製造される。例えば、例示的なエアロゾル噴射装置は、米国特許出願２００６／０１７５４３１に記載されている。
【手続補正３】
【補正対象書類名】図面
【補正対象項目名】図３
【補正方法】変更
【補正の内容】
【図３】
2015501931.tif 000001